Podtech/llm-jp-corpus-v4-ja_patent huggingface dataset:
(57)【要約】      （修正有）【課題】１人で容易に装着できるブレスレッド装着補助具の提供。【解決手段】ブレスレットの留め金具の受ける側の金具の根元を小型の洗濯ばさみで挟み、手首の上で固定することにより、差し込む側の金具を受ける側の金具に差し込みやすくする。【選択図】図１
0003119007.tif 000002
【実用新案登録請求の範囲】
【請求項１】
チェーンの先端に小型の洗濯ばさみを備え、ブレスレットの受ける側の金具の根元をはさみ、手首の上で固定させるようにした、ブレスレット装着補助具
【考案の詳細な説明】
【技術分野】
【０００１】  本考案は、ブレスレット装着の際に、単身でもスムーズに装着できるようにする、ブレスレット装着補助具である。
【背景技術】
【０００２】  従来は、ブレスレットを単身でもスムーズに装着させるような道具はなかった。
【考案の開示】
【考案が解決しようとする課題】
【０００３】  一般的なブレスレットの金具は、輪になった金具に付いている小さなレバーを爪であけ、受ける側の小さな輪に差し込むタイプのものであるが、金具を留める際、単身ではなかなかうまくできないことが多く、特に時間に追われている時などは、その歯がゆさからイライラしてしまうことも多かった。
【課題を解決するための手段】
【０００４】  ブレスレット装着の際に、単身でもイライラすることなく、簡単に金具を留めることができるようにする道具を用意する。
【考案の効果】
【０００５】  ブレスレットの金具を単身でも簡単に留めることができることにより、イライラすることもなくなる上、時間の余裕さえうまれる。
【考案を実施するための最良の形態】
【０００６】  考案の実施の形態を図１にもとづいて説明する。
【実施例１】
【０００７】  図１において、ブレスレットの留め金具の受ける側の金具の根元０４を小型の洗濯ばさみ０３で挟み、チェーン０２をブレスレットを装着する側の中指と薬指の間で挟み、ブレスレットを手首に巻きつけることによって、留め金具の受ける側の金具０５を固定できるため、ブレスレットの差し込む側の金具０６を簡単に受ける側の金具０５に入れることができる。【０００８】  小型の洗濯ばさみで留め金具の受ける側の金具の根元０４を挟む際、金具に傷つけないよう、小型の洗濯ばさみの鋏の内側の部分０７には薄手のシリコンゴムなどのゴムを貼り付ける。また、それは滑り止めの役目も果たす。【０００９】  チェーン０２は、中指と薬指の間で挟む位置を自由にかえることが出来るため、ブレスレットの長さが短く、手首に密着したものでも、各々の手の大きさの違いにも対応がきく。【００１０】  留め金具の受ける側の金具の根元０４を挟んだ小型の洗濯ばさみ０３が、手首の上からずり落ちないようにするため、小型の洗濯ばさみ０３とは逆側のチェーンの先端に、適当な大きさ、重さの立体の装飾品０１をつける。【００１１】  なお、立体の装飾品０１や小型の洗濯ばさみがついたチェーン０２はいろいろなバリエーションが考えられるため、使用者それぞれの好みにも対応がきく。【００１２】  以下、上記構成の使用方法を説明する。ブレスレットを装着する際、まず、小型の洗濯ばさみ０３で、留め金具の受ける側の金具の根元０４を挟む。そしてチェーン０２を装着する側の中指と薬指の間で挟み、洗濯ばさみ０３が手首の上にくる所までチェーンの長さを調整する。その後、時計回りでブレスレットを手首にまわし、逆側の手でブレスレットの留め金具の差し込む側の金具０６をもち、ブレスレットの留め金具の受ける側の金具０５に入れて留める。【００１３】  同じ要領で、親指と人差し指の間で挟むことも可能。ただしその際は、ブレスレットを手首にまわす方向が反時計回りになる。【００１４】  上記は右利きの人が左手にブレスレットを装着する場合であり、左利きの人が右手に装着する場合には、中指と薬指の間で挟んだ時には反時計回り、親指と人差し指の間で挟んだ時には時計回りになる。
【図面の簡単な説明】
【００１５】
【図１】右利きの人が左手にブレスレットを装着する場合の本考案道具の使用状態を示す図
【図２】本考案道具を示す図
【符号の説明】
【００１６】    ０１  立体の装飾品
０２  チェーン
０３  小型のクリップ
０４  留め金具の受ける側の金具の根元
０５  留め金具の受ける側の金具
０６  留め金具の差し込む側の金具
０７  鋏の内側の部分
【図１】
0003119007.tif 000003
【図２】
0003119007.tif 000004
(57)【要約】      （修正有）【課題】室内外を問わず使用でき、家庭用洗濯機で洗えるマフラーの提供。【解決手段】筒状の袋体１の中に、軽くて暖かい羽毛４を挿入し、首にひと回りして係止部３で留める。羽毛がかたよらないように生地の上からキルティング２をして、つけ心地を良くすることにより、室内外問わず就寝中など首まわりを保護し首、肩を冷やさないので防寒、風邪予防にもなる。また汚れても、一般家庭用洗濯機で洗えて便利になった。【選択図】図１
0003119008.tif 000002
【実用新案登録請求の範囲】
【請求項１】
１ｍぐらいの筒状の袋体の中に、羽毛を入れ羽毛が均等になるように１０cm〜２０cm幅でキルティングして、羽毛が片寄らないようにする。また、筒状の生地には、絹・綿・ポリエステル・レーヨン・キュプラ・サテン・サッカー・テトロンコットンなど、筒状に縫製できるものを使用し、羽毛の中身が吹き出さないようにダウンプルーフ加工をする。なお筒状の袋体の中身には、水鳥の胸毛を９０％、あとの１０％を水鳥の羽根を使用し、筒状の袋体の一端部から手前の所に係止部を設け適当に留める。
【考案の詳細な説明】
【技術分野】
【０００１】
本考案は、首巻きに関するもの。
【背景技術】
【０００２】
従来、首まわりを保温するためのマフラーは、毛糸などの編み物または、織物からなっており、外出時に使用するだけだった。
【特許文献１】特開平８−１００３１３
【特許文献２】特開２００４―３０８０８５
【考案の開示】
【考案が解決しようとする課題】
【０００３】
首まわりを保護するためのマフラーは毛糸などの編み物または、織物からなっており、従って寒さや冷たい風の時などは、首の回りにぐるぐると巻き付けなければならなく、室内では、使いにくい為利用がなかった。また、汚れや、ニオイが付着した時に、すぐに家庭用洗濯機で洗濯できなかった。
【課題を解決するための手段】
【０００４】
そこで、筒状の袋体の中に羽毛を挿入し、袋体の一端部から手前の所に係止部を設け首まわりに軽くひと巻きし適当に留める。また、羽毛が片寄りしない為に、生地の上からキルティングをしているので均一な暖かさを保つことができる。しかも水洗いができる羽毛を使用することにより家庭用洗濯機で、洗濯できるようになった。
【考案の効果】
【０００５】
筒状の袋体の中に、軽くて暖かい羽毛を使用することにより暖かく、つけ心地がよく室内外問わず、就寝中やのどを保護する役目も十分にできるようになり使用の幅が広がった。また、一般家庭で、簡単に洗えるので衛生上にもよく、羽毛の伸縮性をいかすことによりコンパクトに収納することができ、携帯にも便利になった。
【考案を実施するための最良の形態】
【０００６】
本考案は、図１に示すように１ｍの筒状の袋体の中に羽毛を入れ、羽毛が均等になるように１０cmから２０cmの幅でキルティングをすることにより、羽毛が片寄らないようにする。また、袋状の生地には、絹・綿・ポリエステル・レーヨン・キュプラ・サテン・サッカー・テトロンコットンなど、筒状に縫製できる生地を使用し、中の羽毛が吹き出さないようにダウンプルーフ加工をする。また、中身の羽毛には、水鳥の胸毛を９０％と、水鳥）
の羽根を１０％使用する。
【図面の簡単な説明】
【０００７】
【図１】本考案の羽毛入り首まきの実施例を示す正面図である。
【図２】首まきの断面図である。
【符号の説明】
【０００８】
１  筒状の袋体
２  キルティング部
３  係止部
４  羽毛
【図１】
0003119008.tif 000003
【図２】
0003119008.tif 000004
【手続補正書】
【提出日】平成17年11月25日(2005.11.25)
【手続補正１】
【補正対象書類名】実用新案登録請求の範囲
【補正対象項目名】全文
【補正方法】変更
【補正の内容】
【実用新案登録請求の範囲】
【請求項１】
絹・綿・ポリエステル・レーヨン・キュプラ・サテン・サッカー・テトロンコットンなどの布状物からなる１ｍぐらいの筒状で、１０ｃｍから２０ｃｍ幅にキルティングにより分割された袋体の中に、水鳥の胸毛９０％、あとの１０％を水鳥の羽根を充填し、前記袋体表面の一端部近くに、帯状の係止部を設けたことを特徴とする首巻き。
【手続補正２】
【補正対象書類名】明細書
【補正対象項目名】全文
【補正方法】変更
【補正の内容】
【考案の詳細な説明】
【技術分野】
【０００１】
本考案は、首巻きに関するもの。
【背景技術】
【０００２】
従来、首まわりを保温するための首巻きは、毛糸などの編み物または、織物からなっており、外出時に使用するだけだった。例として特許文献１や特許文献２に開示されているものがある。
【特許文献１】特開平８−１００３１３
【特許文献２】特開２００４−３０８０８５
【考案の開示】
【考案が解決しようとする課題】
【０００３】
首まわりを保護するための首巻きは、毛糸などの編み物からなっており従って、寒さや冷たい風の時などは、首まわりにぐるぐると巻き付けなければならなく、室内では、使いにくい為利用がなかった。また、汚れや、ニオイが付着した時にすぐに家庭用洗濯機で洗濯できなかった。
【課題を解決するための手段】
【０００４】
絹・綿・ポリエステル・レーヨン・キュプラ・サテン・サッカー・テトロンコットンなどの布状物からなる１ｍぐらいの筒状で、１０ｃｍから２０ｃｍ幅にキルティングにより分割された袋体の中に、水鳥の胸毛９０％、あとの１０％を水鳥の羽根を充填し、前記袋体表面の一端部近くに、帯状の係止部を設け、首まわりに軽くひと巻きし適当に留める。
【考案の効果】
【０００５】
筒状の袋体の中に、軽くて暖かい羽毛を使用することにより暖かく、つけ心地がよく室内外問わず、就寝中やのどを保護する役目も十分できるようになり使用の幅が広がった。また、一般家庭で、簡単に洗えるので衛生上にもよく、羽毛の伸縮性をいかすことによりコンパクトに収納することができ、携帯にも便利になった。
【考案を実施するための最良の形態】
【０００６】
本考案は、図１・図２に示すように１ｍの筒状の袋体１の中に羽毛４を入れ、羽毛４が均等になるように１０ｃｍから２０ｃｍの幅でキルティング２をすることにより、羽毛４が片寄らないようにする。筒状の袋体１の生地には、絹・綿・ポリエステル・レーヨン・キュプラ・サテン・サッカー・テトロンコットンなど、筒状に縫製できる生地を使用し、筒状の袋体１の中には、水鳥の胸毛を９０％と、水鳥の羽根を１０％充填して、羽毛４が吹き出さないようにダウンプルーフ加工する。また、筒状の袋体１の一端部から手前の所に係止部３を設け適当に留める。
【図面の簡単な説明】
【０００７】
【図１】本考案の羽毛入り首巻きの正面図
【図２】A-A断面図
【符号の説明】
【０００８】
１  筒状の袋体
２  キルティング部
３  係止部
４  羽毛
【手続補正３】
【補正対象書類名】図面
【補正対象項目名】全図
【補正方法】変更
【補正の内容】
【図１】
0003119008.tif 000005
【図２】
0003119008.tif 000006
(57)【要約】【目的】  通気性が良い、水やりが均等で、積み重ねてもそれほどの空間を取らない植木鉢を提供する。【解決手段】  植木鉢の側壁を部分的な二重壁（１）にし、そしてこの二重壁の内壁を内側へ凹まし（Ｃ）、外壁を外側へ膨らます（Ｄ）。又、この二重壁の間の隙間の上下両端にそれぞれの切り口（Ａ、Ｂ）を付け、上端切り口（Ａ）は側壁の外側へと通じ、下端切り口（Ｂ）は内側へと通じる。【選択図】        図１
0003119002.tif 000002
【実用新案登録請求の範囲】
【請求項１】
植木鉢の側壁にある、いくつかの上下両端にそれぞれの切り口（Ａ、Ｂ）を有する部分的な二重壁（１）及びこの二重壁の内壁の内側への凹み（Ｃ）と外壁の外側への膨らみ（Ｄ）によるできた隙間（２）。
【考案の詳細な説明】
【考案の詳細の説明】
【技術分野】
【０００１】  本考案は植木鉢の通気性と植物にの水やりと植木鉢の流通運搬時の積み重ねに係るものである。
【背景技術】
【０００２】  従来、植木鉢の側壁に単にいくつかの横穴を開けるだけにしたり（例えば実公平０５−００９２４６；実公平０５−０５３４４２；実公平０７−０１３１１９；登実第３０３５９２５号）、或いは開けた横穴の外側に塀のようなものを付けたり（例えば実公平０７−００１７４１；登実第３０２７４９３号；登実第３０４５８４１号）、又は二重鉢にしたりする（例えば実公平０７−０３６６２４；特公平０８−０２３７８６）などがある。
【考案が解決しようとする課題】
【０００３】  背景技術で述べたものでは、単にいくつかの横穴を開けるだけにする場合は土が植木鉢の外へ流されやすいことと開けた横穴の外側に塀のようなものを付ける場合は塀のようなものが余分に空間を取るので植木鉢を積み重ねるときに体積も大きくなって、流通運搬に不便さがあることと二重鉢にする場合はコストが高くなるなどの問題点がある。
【課題を解決するための手段】
【０００４】  本考案では植木鉢の側壁を部分的に二重壁（１）にし、そしてこの二重壁の内壁を内側へ凹まし（Ｃ）、外壁を外側へ膨らます（Ｄ）。又、この二重壁の間の隙間の上下両端にそれぞれの切り口（Ａ、Ｂ）を付け、上端切り口（Ａ）は側壁の外側へと通じ、下端切り口（Ｂ）は内側へと通じる。
【考案を実施するための最良の形態】
【０００５】  部分的な二重壁の間の隙間及びその上下両端の切り口（Ａ、Ｂ）は斜め上下になっているので、土が植木鉢の外へ流されにくい。しかも二重壁の間の隙間が内壁の内凹と外壁の外凸により大きくなれるので、通気性が良くなるだけではなく、植物に水やりもより均等にすることができる。【０００６】  内凹（Ｃ）と外凸（Ｄ）になっている二重壁の部分をずらして積み重ねれば、それほど余分な空間を取らない（図３）。又、部分的な二重壁は二重鉢ではないので、二重鉢のような高いコストになることはない。
【図面の簡単な説明】
【図１】  植木鉢の断面図。
【図２】  植木鉢の斜面図。
【図３】  植木鉢を積み重ねるときの斜面図。
【符号の説明】
１  （部分的な）二重壁
２  （二重壁の間の）隙間
Ａ  （二重壁の）上端切り口
Ｂ  （二重壁の）下端切り口
Ｃ  （二重壁の）内壁の凹み
Ｄ  （二重壁の）外壁の膨らみ
【図１】
0003119002.tif 000003
【図２】
0003119002.tif 000004
【図３】
0003119002.tif 000005
【手続補正書】
【提出日】平成17年11月4日(2005.11.4)
【手続補正１】
【補正対象書類名】実用新案登録請求の範囲
【補正対象項目名】全文
【補正方法】変更
【補正の内容】
【実用新案登録請求の範囲】
【請求項１】
植木鉢の側壁にある、いくつかの上下両端にそれぞれの切り口（Ａ、Ｂ）を有する部分的な二重壁（１）及びこの二重壁の内壁の内側への凹み（Ｃ）と外壁の外側への膨らみ（Ｄ）によるできた隙間（２）を有する植木鉢。
(57)【要約】      （修正有）【課題】タイプの電子プリント基板の検査が容易かつ迅速、正確に検査できる装置を提供する。【解決手段】紫外線光を光源とし、その紫外線光のみを透過する光学フィルターを透過した光を感知する光学センサーを有する穴数検査装置を提供する。【選択図】図１
0003119001.tif 000002
【実用新案登録請求の範囲】
【請求項１】
紫外線光を光源とし、検査対象の電子プリント配線基板に照射し、透過した紫外線光のみを透過する光学フィルターを前面に配した紫外線光を感知する光学センサーの組み合わせ構造を有する電子プリント配線基板穴数検査装置。
【考案の詳細な説明】
【技術分野】
【０００１】
本考案は、電子プリント配線基板（単層、多層）の表裏導通穴が製作設計どおりの穴数があり、かつ穴詰まりがないかを検査する穴数検査装置である。
【背景技術】
【０００２】
従来、電子プリント配線基板（単層、多層）の表裏導通穴が製作設計どおりの穴数があり、かつ穴詰まりがないかを検査する穴数検査装置は可視光を光源として、検査基板の穴を透過した可視光を光学センサーで感知して、穴数、穴詰まりを検査する装置は存在している。
【０００３】
これまでの電子プリント配線基板材料は可視光が透過しない材料が使用されており、可視光を光源とする装置でも問題はなかった。
【考案の開示】
【考案が解決しようとする課題】
【０００４】
しかし、近年電子プリント配線基板の多層化や薄型化が進み必ずしも可視光が透過しない材料が使用されなくなり、かえって基板製作の後工程検査の都合上、基板材料が透明なものが開発されつつある。
【０００５】
また、電子プリント配線基板の多層化や薄型化が進んだため、穴径、及び穴と穴の距離が小さくなり、穴数も多くなる傾向が顕著になった。
【０００６】
上記の結果、従来の可視光を光源とする装置では、検査不可能な電子プリント配線基板が開発され、検査することが出来ない問題が生じている。
【課題を解決するための手段】
【０００７】
この問題の解決策として、従来使用していた可視光に変えて紫外光を光源に使用することにより問題の解決をはかる
【０００８】
光源を紫外光に変えることにより、可視光に対しては透明（可視光透過）でも、紫外光に対しては不透明（紫外光不透過もしくは透過率が低い）な材料（例えばPET樹脂）を電子プリント配線基板材料に使用することにより、穴の透過光と基板の透過光の区別が可能となる。
【０００９】
また、検査装置外からの可視光（外乱光）と区別するため光学センサー前面に光源の紫外光のみを透過するフィルターを設置する。
【考案の効果】
【００１０】
本考案の装置に紫外光を使用することにより、近年開発されている新しいタイプの可視光透過電子プリント配線基板材料の穴数検査が容易に可能となる。
【００１１】
また本考案の装置に紫外光を使用することによる優位性は、可視光より紫外光のほうの波長が短いため、検査分解能が増し、以前より穴径、穴と穴の距離が小さくなり、穴数が多くなる傾向が顕著になった近年開発の電子プリント配線基板の穴数検査が容易に可能となる。
【考案を実施するための最良の形態】
【００１２】
本考案を実施するための装置の構造は、図１に示すように装置中央下部に、紫外線光源を配し、検査する電子プリント基板を搬入コンベアーにより搬入、中央下部よりの紫外線光を受光の後、搬出コンベアーにより搬出。
【００１３】
検査する電子プリント基板が紫外線光源上を通過時、紫外線透過フィルターを介して透過光を光学センサーに入光させ、画像処理プログラムによりコンピュター処理により良否判定を実施、表示する。
【実施例１】
【００１４】
図１は本考案の実施例である。
【産業上の利用可能性】
【００１５】
本考案は、光源の波長を可視光から紫外光や赤外光など、はば広い波長選択をおこなう事により新しく開発される電子プリント基板の検査が容易かつ迅速、正確に検査できるため今後の利用可能性はおおきい。
【図面の簡単な説明】
【００１６】
【図１】本考案の装置の構造概略図である。
【符号の説明】
【００１７】
１、材料投入コンベアー
２、光学センサー
３、紫外線フィルター
４、紫外線光源
５、材料受け取り
６、遮光フード
７、装置下部
【図１】
0003119001.tif 000003
(57)【要約】【課題】眼鏡、補聴器、イヤフォーン、酸素チューブ等をつけて横向きに寝たとき、それらが邪魔になるのを防ぐ枕を提供する。【解決手段】枕を３分割し，耳に当たる真ん中の「枕その２」を短くかつ可動式にすることにより、枕（基盤台）に耳よけの窪みを作り出し、左右どちらの横向きに寝ても、その空間に耳、眼鏡のつる、チューブ、管を落とすことにより、枕と顔（頭部）との間の圧力−圧迫を避けることができるようにした。【選択図】図１
0003119283.tif 000002
【実用新案登録請求の範囲】
【請求項１】
横向きに寝ながら読書する際に、枕から眼鏡のつるの部分をよけることにより、つるが耳や顔に食い込む煩わしさを避け頭を安定した状態に保ち、快適な読書を楽しめるように工夫した枕である。
この工夫により、補聴器、イヤフォーン、酸素チューブその他顔周辺に装着したものについても同様の効果があるほか、病人が横臥したままでうがいするなどのために膿盆等を使用する際にも有効な枕である。
【考案の詳細な説明】
【技術分野】
【０００１】本考案は、眼鏡をしたまま横向きに寝たときに眼鏡のフレームやつる及び耳が当たる部分をくりぬいた枕である（上向きに寝たときは通常の枕となんら変わらない）。しかも本枕は単独で使用できるほか、普段使用する枕の上に乗せて使用することも可能である。
【背景技術】
【０００２】従来は横向きに寝た際に眼鏡、補聴器、イヤフォーン、酸素チューブ等をよける枕はなかった。
【考案の開示】
【考案が解決しようとする課題】
【０００３】▲１▼  眼鏡を使用しながら横向きに寝た状態で読書する際、通常の枕であると眼鏡のフレーム、つるを掛けた耳の部分が枕に当たり頭部の圧力で耳が痛くなったり、つるが曲がったり、レンズとフレームとの留め金が壊れやすかったり、レンズそのものが眼の正しい位置からずれる場合があり、快適な読書の妨げとなっているが、本考案はこの課題を解決するものである。
▲２▼  補聴器、イヤフォーンを装着したまま横向きに寝た場合においてもこれらの器具が耳に食い込み快適な睡眠が妨げられるが、本考案はそれらの課題も解決するものである。
▲３▼  酸素チューブ、栄養補給チューブ、あるいは睡眠時無呼吸症候群の治療用の夜間呼吸マスクを装着して寝る場合、これらのチューブ・管が圧迫され閉塞したり折れ曲がる恐れがあるが、本考案はそれらの課題をも解決するものである。
▲４▼  病人が寝たままでうがいや嘔吐するとき、差し込む膿盆が、通常の枕であると利用しにくく、枕が汚れる恐れがあるが、本考案はその課題も解決するものである。
【課題を解決するための手段】
【０００４】（図面参照）
▲１▼  枕を枕１、枕２及び枕３に三等分する。
▲２▼  枕１及び枕３を基盤台に固定する。（枕１及び枕３を固定式とするのは、各々耳より上の頭部、及び耳より下の頸部を安定的に支えるためである。）
▲３▼  枕１及び枕３の間に、それらの半分の長さの枕２を置き、左右可動式とする。（枕２が半分の長さであることにより、枕２の横に窪みができ、ここに眼鏡のつるがくることになる。）
▲４▼  枕２を半分の長さにし左右可動式とするのが本考案の核心をなすものである。即ち、右耳を下に右向きに寝るときは枕２を枕の右に寄せ左側をあけ、左耳を下に左向きに寝るときは枕２を枕の左に寄せ右側をあける。そうすることにより、耳が枕２のない窪みの部分（枕１と枕３の中間部分）にくることから、耳や眼鏡のつる等が枕に圧迫されずにすむ。
▲５▼  上記▲２▼で基盤台に固定するのは、単に枕を設置するためだけでなく、布団その他の寝具が窪みに盛り上がってくるのを基盤台で防ぎ、確実に窪みを作るためであり、▲４▼とともに、本考案の最重要な部分をなすものである。
▲６▼  上向きに寝るときは枕２を中央に戻しておく。
【考案の効果】
【０００５】▲１▼  眼鏡を掛けたまま横向きに寝ても枕２が短いことから、枕に窪みができ、眼鏡が邪魔にならず耳を痛めたり眼鏡を破損することがない。
▲２▼  補聴器、イヤフォーン等を装着したまま横向きに寝る場合も同様である。
▲３▼  酸素チューブ、栄養補給チューブをしたまま横向きになる場合も溝があるため、チューブが押し潰されない。
▲４▼睡眠時無呼吸症候群の治療用送気マスクを付けて寝る場合、マスクと送気用の管が邪魔になり横向きになりにくいが、これらを溝に落とすことで容易に横向きに寝ることが可能である。
▲５▼  病人等が寝たままで膿盆等を使用する際においても、膿盆を溝に置くことにより枕等を気にせずにうがい、吐潟等ができる。
【考案を実施するための形態】
【０００６】（図面参照）
以下本考案の実施の形態について説明する。
▲１▼  枕を設置するための「４  基盤台」の上に「１  枕」及ぴ「３  枕」を「２  枕」が入る間を開けて固定する。
▲２▼  「４  基盤台」の「１  枕」と「３  枕」の間の中央部分に「５  溝」をつけ、そこを左右に移動できるよう「２  枕」を設置する。設置に当たっては「２枕」を左右に動かしても溝から外れぬよう底部を「７  金具等」で取り付ける。
▲３▼  その結果「１  枕」と「３  枕」の間（即ち「２  枕」の左右の横の部分）に「６  窪み」が作られる。（この部分に横向きに寝たとき耳がうまく落ち込む）。
【図面の簡単な説明】
【０００７】
【図１】本考案のイメージを表した斜視図である。
【図２】本考案を上から見た図である。（枕その２を左に寄せた場合）
【図３】本考案を上から見た図である。（枕その２を右に寄せた場合）
【図４】本考案を上から見た図である。（枕その２を中央にした場合）
【図５】本考案を裏から見た図である。
【符号の説明】
【０００８】１  枕（その１）
２  枕（その２）
３  枕（その３）
４  基盤台
５  溝
６  窪み
７  金具等
【図１】
0003119283.tif 000003
【図２】
0003119283.tif 000004
【図３】
0003119283.tif 000005
【図４】
0003119283.tif 000006
【図５】
0003119283.tif 000007
【手続補正書】
【提出日】平成17年8月19日(2005.8.19)
【手続補正１】
【補正対象書類名】実用新案登録請求の範囲
【補正対象項目名】全文
【補正方法】変更
【補正の内容】
【実用新案登録請求の範囲】
【請求項１】
枕を３分割し、耳に当たる真ん中の部分を短くかつ可動式にすることにより、枕に耳よけの窪みを作り出し、左右どちらの横向きに寝ても、その窪みの部分に耳、眼鏡のつる、チューブ、管等を落とすことにより、枕と顔（頭部）とによる耳等への圧迫を避けることができるような構造にした枕。
【手続補正書】
【提出日】平成17年10月21日(2005.10.21)
【手続補正１】
【補正対象書類名】実用新案登録請求の範囲
【補正対象項目名】全文
【補正方法】変更
【補正の内容】
【実用新案登録請求の範囲】
【請求項１】
枕を３分割し、耳に当たる真ん中の部分を短くかつ可動式にすることにより、枕に耳よけの窪みを作り出し、左右どちらの横向きに寝ても、その窪みの部分に耳、眼鏡のつる、チューブ、管等を落とすことにより、枕と頭部とによる耳等への圧迫を避けることができるような構造にした枕。
(57)【要約】      （修正有）【課題】レジャー用のパラソルを飛びにくくする。【解決手段】片方の先端にプレートを固定し、長さ調節の固定具を取り付け、レジャー用パラソルの先端部に通すリングを備え、前記固定具とリングの間の２本のロープでパラソルの骨をはさむことのできるようにした補助ロープ。【選択図】図１
0003119286.tif 000002
【実用新案登録請求の範囲】
【請求項１】
任意の数のロープ５の片方の先端にプレート８を固定し、プレート８を砂９に埋め、ロープ５にロープの長さ調節・固定具７を取り付け、ロープ５の反対側の先端をリング４に通し、その先端をロープの長さ調節・固定具７に固定したロープ５のリング４をレジャー用パラソルの先端部３に通し、ロープの長さ調節具７とリング４の間にできた２本のロープ６をそれぞれレジャー用パラソルの骨２をはさむ様にかけ、ロープの長さ調節・固定具７を上下させロープ５の弛みを調整・固定し、プレート８にかかる砂の重さによりレジャー用パラソルを固定し、風によってレジャー用パラソルが飛んだり裏返しなりにくくする補助ロープ。
【考案の詳細な説明】
【請求項の数】
１
【考案の詳細な説明】
【考案が解決しようとする課題】
【０００１】  従来、砂浜に立てたレジャー用パラソルは、ポールを砂に埋めるだけのため風が吹くと、飛ばされて危険であり、裏返しとなりレジャー用パラソルが壊れたりする問題があった。
【課題を解決するための手段】
【０００２】  上記問題を解決するため、レジャー用パラソルにロープをかけ、先端に取り付けたプレートを砂に埋め、プレートにかかる砂の重さにより、レジャー用パラソルを固定し風によって飛びにくくしたり、裏返しになりにくくした。
【考案の効果】
【０００３】  レジャー用パラソルを固定し飛びにくくすることにより、風によって飛んで人や物を傷つけたりする危険を防止することが出来、レジャー用パラソルが裏返しになり壊れることが防止でき便利である。
また、川原においてはプレートに石などをのせれば同じ効果をうることができ、プレートの代わりにテント用ペグを使用することにより、土の上でも同じ様な効果が得られて便利である。
【図面の簡単な説明】
【図１】レジャー用パラソルに固定用補助具をとりつけた正面図
【図２】固定用ロープの詳細図
【符号の説明】
１  レジャー用パラソル
２  レジャー用パラソルの骨
３  レジャー用パラソルの先端部
４  リング
５  リングに取り付けたロープ
６  ロープの長さ調節・固定具とリングの間の２本のロープ
７  ロープの長さ調節・固定具
８  プレート
９  砂
【図１】
0003119286.tif 000003
【図２】
0003119286.tif 000004
(57)【要約】      （修正有）【課題】モニター画面に、お互いの名刺を送受信して、それが自動的に表示される機能を付加した携帯電話。【解決手段】その不安を取り除き受信者が敏速にが対応できる様、送信者の名刺が送受信者の各携帯電話のモニタ−画面に自動的に表示される機能を付加した携帯電話の開発で、これを解決する。【選択図】図１
0003119288.tif 000002
【実用新案登録請求の範囲】
【請求項１】
携帯電話の新しい機能で、携帯電話のモニタ−画面に、お互いの名刺を送受信して、それが自動的に表示される機能を付加した携帯電話。
【考案の詳細な説明】
【技術分野】
【０００１】  本考案は、携帯電話機（以下携帯電話）での送信時に送信者が受信者に対して、自らを明らかできる携帯電話に関するものである。
［背景技術］【０００２】  従来における携帯電話では、初めての相手先からかかってくる場合その電話番号のみの表示又は非通知等で送信者の情報が不足不明のままである。【０００３】  昨今は多様な勧誘等迷惑電話もあって、受信者にとってはありがたくない場合も多々生じている。
正当な送信者にとっては、電話での口頭の話合い以前に正体を明らかにし相手先には不安のない対応を願っている。
［考案の開示］
［考案が解決しようとする課題］【０００４】  本考案は、上述「０００２］と［０００３］に関する不安を一挙に解決するものである。
［課題を解決するための手段］【０００５】  本考案は、携帯電話に使用者の写真入り名刺を取り込み固定して、その携帯電話による特に初めての送信の際、自動的にその名刺が相手先の携帯電話及び設置型電話のモニタ−画面に表示される機能を付加した携帯電話の開発である。
［考案の効果］【０００６】  本考案は、電話の受信者が送信者の写真入り名刺を確認でき、初めての送信者からであっても、安心して対応ができる。
名刺を各々の携帯電話機に記録することで、以降に期間の隔たりがあっても永久的に、その確認ができる。【０００７】  本考案は、名刺を多量に消費する現在のビジネス社会において、その整理整頓をパソコン等との連動で簡略化でき継続的且つ安全に管理できる。
初回の面談時に一々取り交わす名刺自体を不要にするとともに、会社の経費削減に貢献する。
更に紙材を削減することで、原料木材の伐採に伴う環境問題にも貢献する。【０００８】  本考案は、会社の場合においては受信者のモニタ−画面に送信者の会社名が初回の電話時から表示、記録されることで恒常的な宣伝広告効果が期待できる。【０００９】  現在、携帯電話のモニタ−画面上で自己紹介する場合には数回の画面切り替え作業を行い費用もかさむが、本考案の携帯電話では一回の送信作業と一回分だけの通話料で済むことになる。【００１０】  近代日本の原状においては企業間で交わされる名刺の数は計り知れないなが、本考案が提供する前述の削減項目の実施は重要と考えられる。
［実施例］【００１１】  以下、本考案の実施例を添付図面で説明する。
【図面の簡単な説明】
【００１２】［図  １］  本考案の実施図で、例として本考案者の名刺をモニタ−画面に表示している。
［図  ２］  当該携帯電話のモニタ−画面を内側にして、本体をたたんだ姿である。
【図１】
0003119288.tif 000003
【手続補正書】
【提出日】平成17年10月14日(2005.10.14)
【手続補正１】
【補正対象書類名】実用新案登録請求の範囲
【補正対象項目名】全文
【補正方法】変更
【補正の内容】
【実用新案登録請求の範囲】
【請求項１】
名刺を表示するモニタ−画面とその名刺情報を送受信する送受信部を有する携帯電話。
【手続補正２】
【補正対象書類名】図面
【補正対象項目名】全図
【補正方法】変更
【補正の内容】
【図１】
0003119288.tif 000004
(57)【要約】      （修正有）【課題】チョークの粉が飛散しない、黒板消しを提供する。【解決手段】黒板の字を消す場合は黒板消しの四つの駆動ローラー１と２本の字消しローラー２が黒板に接触して、黒板消しの移動に伴って、上記の駆動ローラーが転がり、黒板消し本体８内部のギア組４，５，６により、字消しローラー２と掃除ローラー３を連動させる。回転させられた字消しローラーは黒板の字を拭き取る同時に、回転するので、黒板消しケース内側に回された「粉付着面」が同じギア組により回転させられた掃除ローラーのブラシ清掃により、拭き取った粉が落され、黒板消しケース下部の集塵槽７に落され、溜まる。【選択図】図２
0003119290.tif 000002
【実用新案登録請求の範囲】
【請求項１】
黒板消し本体に装着している四つの駆動ローラー１、と二本の字消しローラー２、と二本の掃除ローラー３、はギア組により、連動になり、四つの駆動ローラー１、の回転により、二本の字消しローラー２、と二本の掃除ローラー３、を回転させる。
【請求項２】
字消しローラーは字を拭き取る同時に回転するので、「粉付着面」が黒板消しケース内側に回された時、同時に回転している掃除ローラーのブラシ清掃により、粉落しになり、下部の集塵槽に溜まる。
【請求項３】
四つの駆動ローラーギア４、と二本の字消しローラーギア５、と二本の掃除ローラーギア６、の直径が違い、そのローラーの回転速度も違うことにより、字消しローラーのスロースピード性能要求と掃除ローラーのハイスピード性能要求に同時に満足できる。
【考案の詳細な説明】
【技術分野】
【０００１】
本発明はチョークの粉の「飛散予防と収集」の性能を備える黒板消しに関するものである。
【背景技術】
【０００２】
黒板消しはフェルト布などの簡単なブロック状拭き取る道具だけで、使うときに、チョーク粉の飛散により、回りを汚してしまう同時に、チョーク粉塵の健康被害も招きかねない。
【０００３】
先行技術調査報告書の結果は下記の通りである。
【特許文献１】特開昭５７−８７９９９公報
【特許文献２】特開平０４−３０５４９９
【特許文献３】特開平０８−２５８９２
【特許文献４】特開平１０−５８８９３
【特許文献５】特開  ２０００−２３８４９５
【特許文献６】実開昭５７−９０８９４
【特許文献７】実開平０２−１７３９７
【特許文献８】特開昭６２−１８７０９８
【特許文献９】実開昭５５−１５０７９
【特許文献１０】実開昭６３−４７１９６
【考案の開示】
【考案が解決しようとする課題】
【０００４】
黒板消しを使う時に、チョークの粉が飛散して、回りを汚してしまう同時に、肺に吸い込んだら、体に良くないです。本発明はギア連動式の字消しローラーと掃除ローラーとのダブル機能構造により、黒板消しの拭き取った粉は黒板消しケース内下部の集塵槽に溜めるので、“粉飛散”の課題が解決できる。
【課題を解決するための手段】
【０００５】
図１斜視図、図２断面図、図３構造図の如き、黒板の字を消す場合は黒板消しの四つの駆動ローラー１、と２本の字消しローラー２、が黒板に接触して、黒板消しの移動に伴って、駆動ローラー１、が転がり、ギア組により、字消しローラー２、と掃除ローラー３、を連動させる。回転させられた字消しローラー２、は黒板の字を拭き取る同時に、回転するので、黒板消しケース内側に回された「粉付着面」が同じギア組により回転させられた掃除ローラー３、のブラシ清掃により、拭き取った粉が落され、黒板消しケース下部の集塵槽に落され、溜まる。この字消しローラー２、の回転と黒板消しケース内の掃除ローラー３、のブラシ清掃により、チョーク粉が全部黒板消しケース内下部の集塵槽に溜めたので、チョーク“粉飛散”の課題が解決できるようになる。ダブル・字消しローラーの構造により、黒板消しの移動方向が制限されず、左右往復に動かしても、字消し・集塵の効果が同じである。
【考案の効果】
【０００６】
請求項１項、２項、３項に記載の発明によれば
（１）回転する字消しローラー１、は字を消す同時に、回転するので、チョーク粉を付着した面が黒板消しケース内側に回された時、そのチョーク粉が同時に回転している掃除ローラー３、のブラシ清掃により、落され、下部の集塵槽に溜まる。
（２）駆動ローラー１、字消しローラー２、掃除ローラー３、の駆動ギア直径の違いにより、各ローラーの回転速度が違い、字消しローラーのスロースピード性能要求と掃除ローラーのハイスピード性能要求に同時に満足できる。
（３）下部の集塵槽は簡単に取り外せるので、溜まったチョーク粉は満杯前に捨てば良いである。
【考案を実施するための最良の形態】
【０００７】
基本部品が全部プラスチック成型部品を使う。
【実施例】
【０００８】
本発明の「衛生黒板消し」により、チョーク粉の“飛散”問題が解決できる。
【産業上の利用可能性】
【０００９】
チョークを使う黒板に活用できる。
【図面の簡単な説明】
【００１０】
【図１】衛生黒板消しの斜視図
【図２】衛生黒板消しの断面図
【図３】衛生黒板消しの構造図
【符号の説明】
【００１１】
１、駆動ローラー。
２、字消しローラー。
３、掃除ローラー。
４、駆動ローラーギア。
５、字消しローラーギア。
６、掃除ローラーギア。
７、集塵槽。
８、衛生黒板消し本体。
【図１】
0003119290.tif 000003
【図２】
0003119290.tif 000004
【図３】
0003119290.tif 000005
【手続補正書】
【提出日】平成17年8月29日(2005.8.29)
【手続補正１】
【補正対象書類名】実用新案登録請求の範囲
【補正対象項目名】全文
【補正方法】変更
【補正の内容】
【実用新案登録請求の範囲】
【請求項１】
黒板消し本体に装着している四つの駆動ローラー１、と二本の字消しローラー２、と二本の掃除ローラー３、はギア組により、連動になり、四つの駆動ローラー１、の回転により、二本の字消しローラー２、と二本の掃除ローラー３、を回転させることを特徴とする黒板消し。
【請求項２】
字消しローラーは字を拭き取る同時に回転するので、「粉付着面」が黒板消しケース内側に回された時、同時に回転している掃除ローラーのブラシ清掃により、粉落しになり、下部の集塵槽に溜まることを特徴とする請求項１記載の黒板消し。
【請求項３】
四つの駆動ローラーギア４、と二本の字消しローラーギア５、と二本の掃除ローラーギア６、の直径が違い、そのローラーの回転速度も違うことにより、字消しローラーのスロースピード性能要求と掃除ローラーのハイスピード性能要求に同時に満足できることを特徴とする請求項１記載の黒板消し。
(57)【要約】      （修正有）【課題】清潔に排泄物の処理ができ、嫌な臭いも軽減させる。【解決手段】  排水パイプを二重にし、伸び縮みさせることにより、可動式の水洗トイレ（洗浄・乾燥等の機能付）を設置できる。・水洗トイレなので、臭いを残さず、清潔感がある。・可動式なので、使用しないときは壁の中や棚の下などに収納できるため場所をとらず、部屋の雰囲気もよくなる。・水洗トイレなので、介護人が片づけをするという手間を省くことができ、気兼ねなく排泄を行える。【選択図】図２
0003119287.tif 000002
【実用新案登録請求の範囲】
【請求項１】
便器に取り付ける排水パイプを二重にし便器が横に移動することで、径の小さい内側のパイプが出てくる。便器を排水パイプに取り付ける継手は▲１▼▲２▼また伸び縮みする▲３▼にはゴム製のジャバラを使用することによりパイプとパイプの繋ぎ目から排水や臭いがもれなくなる。
【考案の詳細な説明】
【技術分野】
【０００１】  本発明は、排水パイプ内に径の少し小さいパイプを入れ、中のパイプが動くことにより水洗トイレの移動が可能となり、足腰が悪くトイレへの移動が困難な方がベットの近くで洋式水洗トイレが使用できるようにしたものです。
〔背景技術〕【０００２】  従来は、ポータブルトイレを使用し排せつ物の処理をその都度している。
〔考案の開示〕
〔考案が解決しようとする課題〕【０００３】  ポータブルトイレよりも清潔に排せつ物の処理が出来、嫌な臭いも軽減させる。
〔課題を解決するための手段〕【０００４】  トイレを使用しない時は収納し、使用する際はベッドの近くで排せつが出来るように、洋式水洗トイレがスライドしてくる。
〔考案の結果〕【０００５】  トイレへの移動が困難でもベッドの横にトイレが有ると安心出来るし、排せつ物は、使用後すぐに水で流すため、清潔でにおいも気にならなくなり、使用しない時は収納しているので、部屋の雰囲気が変わり、スペースも広くとれる。
【図１】
0003119287.tif 000003
【図２】
0003119287.tif 000004
【手続補正書】
【提出日】平成17年10月2日(2005.10.2)
【手続補正１】
【補正対象書類名】実用新案登録請求の範囲
【補正対象項目名】全文
【補正方法】変更
【補正の内容】
【実用新案登録請求の範囲】
【請求項１】
排水口につながるパイプの中に便器に取り付けたパイプを入れ、二重にした二つのパイプが長さ方向に相対的に移動することでパイプの長さを変えることのできる排水パイプ。
【手続補正２】
【補正対象書類名】明細書
【補正対象項目名】全文
【補正方法】変更
【補正の内容】
【考案の詳細な説明】
【技術分野】
【０００１】  本発明は、排水パイプ内に径の少し小さいパイプを入れ、中のパイプが動くことにより水洗トイレの移動が可能となり、足腰が悪くトイレへの移動が困難な方がベットの近くで洋式水洗トイレが使用できるようにしたものです。
【背景技術】
【０００２】  従来は、ポータブルトイレを使用し排せつ物の処理をその都度している。
【考案の開示】
【考案が解決しようとする課題】
【０００３】  ポータブルトイレよりも清潔に排せつ物の処理が出来、嫌な臭いも軽減させる。
【課題を解決するための手段】
【０００４】  トイレを使用しない時は収納し、使用する際はベッドの近くで排せつが出来るように、洋式水洗トイレがスライドしてくる。
【考案の結果】
【０００５】  トイレへの移動が困難でもベッドの横にトイレが有ると安心出来るし、排せつ物は、使用後すぐに水で流すため、清潔でにおいも気にならなくなり、使用しない時は収納しているので、部屋の雰囲気が変わり、スペースも広くとれる。
【図面の簡単な説明】
【０００６】
【図１】トイレ使用時の排水パイプ
【図２】トイレ収納時の排水パイプ
【符号の説明】
【０００７】１、２、３ゴム製ジャバラ
(57)【要約】【課題】  カメラを使用して真下撮影を行う場合に、撮影者や脚立が写ったりする不都合の解消等。【解決手段】  伸縮式主アーム（１）と伸縮式副アーム（２）を屈折部（３）で接続して、その先端に重力の作用で真下方向を指向するカメラを設けて、そのシャッターボタンを磁気電動シャッター起動器具によって動作させることにより、この課題を解決する。【選択図】  図１
0003119282.tif 000002
【実用新案登録請求の範囲】
【請求項１】
伸縮式のアーム２本を中折器具で接続したアーム器具。
【請求項２】
アームの先端に取り付けたカメラを真下撮影に自動指向するようにしたカメラ取付器具。
【請求項３】
アームの下部に電源とスイッチを設け、先端部まで配線して先端に取り付けたカメラのシャッターを磁気電動機によって動作させるシャッター起動器具。
【考案の詳細な説明】
【技術分野】
【０００１】  本考案は、被写体を真下に捉えて撮影する際に使用するカメラ保持具に関する。
【背景技術】
【０００２】  従来はカメラを持った手を伸ばすか脚立に上って撮影を行っていた。
【考案の開示】
【考案が解決しようとする課題】
【０００３】  しかし、これでは、真下の撮影をすると撮影者自身の身体や脚立が写ったり、斜め撮影になったりしやすかった。
【課題を解決するための手段】
【０００４】  そこで、伸縮式の２本のアームを屈折部によって接続して、その先端に重力の作用で真下を指向するカメラ取付部を設け、そして、磁気電動機を使用してシャッターを起動できるようにした。このカメラ保持具によって簡単な方法で真下撮影を行えるようになった。
【考案の効果】
【０００５】  よって、本考案のカメラ保持具によって、撮影者や脚立などの器具が写ることなく真下撮影が行えるようになる。また、撮影高さをほぼ一定の高さにした状態で移動しながらの連続撮影が可能なため、その後の写真合成も容易である。
【考案を実施するための最良の形態】
【０００６】  本考案に係るカメラ保持具は、図１に示すように伸縮式主アーム（１）と伸縮式副アーム（２）が屈折部（３）によって接続されている。そして、伸縮式副アーム（２）の先端にカメラ取付部（Ａ）（その詳細図は図２）を設けてあり、これには前後回転部（４）と左右回転部（５）を設ける。この２個所の回転部がスムーズに動くことによって、一度真下方向を指向したカメラ（Ｂ）は、伸縮式副アーム（２）がその後動いても重力の作用で真下方向を指向し続ける。
さらに、磁気電動シャッター起動器具（６）は、カメラ（Ｂ）からカメラ取付板（７）、カメラ取付軸（８）、直交ムッフ（９）、シャッター取付軸（１０）、と一体になった動きをするため、カメラ（Ｂ）に動きがあっても、シャッターボタン（Ｃ）を追随し続ける。
そして、直交ムッフ（９）には、カメラ取付軸（８）及びシャッター取付軸（１０）を自在な位置で固定できるようにしておくことにより、多様なカメラサイズに対応できるものとする。また、電源（１１）及び起動スイッチ（１２）は、伸縮式主アーム（１）に設け、伸縮式電線（１３）が、伸縮式主アーム（１）と伸縮式副アーム（２）の内部を通って、磁気電動シャッター起動器具（６）に給電する。
【図面の簡単な説明】
【０００７】
【図１】  本考案の全体図である。
【図２】  カメラ取付部の詳細図である。
【符号の説明】
【０００８】１        伸縮式主アーム
２        伸縮式副アーム
３        屈折部
４        前後回転部
５        左右回転部
６        磁気電動シャッター起動器具
７        カメラ取付板
８        カメラ取付軸
９        直交ムッフ
１０      シャッター取付軸
１１      電源
１２      起動スイッチ
１３      伸縮式電線
Ａ        カメラ取付部
Ｂ        カメラ
Ｃ        シャッターボタン
【図１】
0003119282.tif 000003
【図２】
0003119282.tif 000004
【手続補正書】
【提出日】平成17年7月25日(2005.7.25)
【手続補正１】
【補正対象書類名】実用新案登録請求の範囲
【補正対象項目名】全文
【補正方法】変更
【補正の内容】
【実用新案登録請求の範囲】
【請求項１】
伸縮式のアーム２本を中折器具で接続したアーム器具。
【請求項２】
請求項１記載のアーム器具のアームの先端に取り付けたカメラを真下撮影に自動指向するようにしたカメラ取付器具。
【請求項３】
請求項１記載のアーム器具のアームの下部に電源とスイッチを設け、先端部まで配線して先端に取り付けた請求項２のカメラ取付器具に取り付けられたカメラのシャッターを磁気電動機によって動作させるシャッター起動器具。
【手続補正書】
【提出日】平成17年10月4日(2005.10.4)
【手続補正１】
【補正対象書類名】手続補正書
【補正対象項目名】手続補正２
【補正方法】削除
【補正の内容】
(57)【要約】【課題】使用者の手の大きさによって、マウス上蓋を着脱し、操作面積を自在に変更可能にして、操作しやすくしたマウスの構造を提供する。      【解決手段】マウス本体及びマウス上蓋から構成され、マウス上蓋をマウス本体の上方に相互に嵌合して、四箇所で定位させる。このマウス上蓋前端両側には嵌合凸が設置され、マウス本体の前端側面縁の嵌合槽に嵌合する。マウス上蓋の後端両側には凸条が成形され、マウス本体の後端側面縁の嵌合槽に相互に嵌合する。これを被せることにより、操作面積が拡大する。使用者の手が大きい大人などにはマウス上蓋とマウス本体を相互に嵌合して、走査面積を大きくし、使用者の手が小さい子ども等には、マウス上蓋をマウス本体から外して操作面積を小さくする。【選択図】図２
0003119244.tif 000002
【実用新案登録請求の範囲】
【請求項１】
マウス上蓋をマウス本体に対して脱着を可能とし、マウス本体の上方にマウス上蓋を被せて定位することによって面積を変化させるマウスの構造であって、
前記マウス上蓋の前端両側に嵌合凸を設置し、この嵌合凸をマウス本体の前端側面縁に成形した嵌合槽に嵌合し、前記マウス上蓋の後端両側に凸条を設置し、前記マウス本体の後端側面縁に成形した嵌合槽に嵌合させて四箇所で定位し、前記マウス上蓋をマウス本体上に被せることによって操作面積を拡大し、一方、マウス上蓋をマウス本体から外すことによって操作面積を小さくすることを可能にしたことを特徴とするマウスの構造。
【考案の詳細な説明】
【技術分野】
【０００１】
本考案は、使用者の手の大きさによってマウス上蓋を着脱し、操作面積を自在に変更可能にして操作し易くしたマウスの構造に関するものである。
【背景技術】
【０００２】
マウスは、ＰＣの重要な操作器具の一つであり、図１に示すとおり、市場に出ているマウスＡのサイズはそれぞれ異なる。大人、子ども、男性、女性及び体型によってマウスの合うサイズが異なる。しかし、大方は、一台のＰＣを複数の人で共有して使用するため、一般に使用者の手の大きさによってマウスの大きさを合わせることはできないが、合わないものを長期に使用すると、骨格や健康に影響を及ぼす危険がある。また、一台のＰＣに一種類のマウスＡを使用しようすると、操作上の問題や、スムーズに使用できず、操作効率も下がる。
【考案の開示】
【考案が解決しようとする課題】
【０００３】
このように従来のマウスは、複数人の手の大きさが異なる人々が一つのマウスを使用しているので、手の大きさにマウスが合わない場合があって、その場合には操作の効率が下がり、使用者の健康に影響を及ぼす虞さえある。
【０００４】
本考案はこれらの事情に鑑みてなされたもので、使用者の手の大きさによって、マウスの面積を自在に選択することを可能にして、操作する人の手の形状、大きさに合わせることができ、操作し易くしたマウスの構造を提供することを目的とする。
【０００５】
操作効率が向上する
【課題を解決するための手段】
【０００６】
本考案によるマウスの構造は、マウス上蓋をマウス本体に対して脱着を可能とし、マウス本体の上方にマウス上蓋を被せて定位することによって面積を変化させるマウスの構造であって、
前記マウス上蓋の前端両側に嵌合凸を設置し、この嵌合凸をマウス本体の前端側面縁に成形した嵌合槽に嵌合し、前記マウス上蓋の後端両側に凸条を設置し、前記マウス本体の後端側面縁に成形した嵌合槽に嵌合させて四箇所で定位し、前記マウス上蓋をマウス本体上に被せることによって操作面積を拡大し、一方、マウス上蓋をマウス本体から外すことによって操作面積を小さくすることを可能にしたことを特徴とする。
【考案の効果】
【０００７】
本考案のマウスの構造は、使用者の手の大きさによって、自在にマウスの面積を選択可能であり、例えばマウス上蓋をマウス本体の上方に嵌合して操作面積を拡大し、マウス上蓋をマウス本体から外すことによって、操作面積を縮小することが可能であり、人の手の形状、大きさに合わせることができ、操作がしやすい効果がある。
【考案を実施するための最良の形態】
【０００８】
以下、図面を参照して本考案野実施例を説明する。
【実施例】
【０００９】
図２〜図５に示すとおり、一実施例のマウスは、マウス本体１及びマウス上蓋２を備えて構成されている。そのうち、マウス上蓋２前端両側には、嵌合凸２０，２１が設置されており、マウス本体１前端に設置した嵌合槽１０，１１に相対して嵌合するようになっている。    
また、マウス上蓋２後端両側には、凸条２２、２３が設置され、マウス本体１後端側面縁に設置した嵌合槽１２、１３に相互に嵌合するようになっている。前記マウス上蓋２は、前記マウス本体１上方に相互に嵌合して結合して四点で定位させる。このマウス本体１前端の最上面の回転輪１００及び左右マウスボタン１０１，１０２は、被されずに露出している。マウス本体１底面には、電池蓋１４があり、その電池蓋１４一側面にライトガイド槽孔１５が設置されている。マウス本体１底面の周辺には、接触点１６，１７，１８，１９が固定され、マウス上蓋２底面末端凸柱の接触点２４と平行になっている。
【００１０】
一実施例のマウスは、前記マウス上蓋２をマウス本体１に被せて嵌合することにより、マウスの操作面積が広がる。使用者の手の大小によって選択し、使用者の手が大きい大人などには、マウス上蓋２をマウス本体１に嵌合して使用し、使用者の手が小さい子ども等には、マウス上蓋２をマウス本体１から外して小さい操作面積にして使用する。
【００１１】
上述の説明は本考案の実施例の一つであり、この実施例が本考案の範囲を制限するものではなく、本考案の技術及び精神を逸脱しない変形は自由に行われ、本考案は登録請求の範囲によって規定した以外は制限されない。
【図面の簡単な説明】
【００１２】
【図１】従来のマウスを示す立体図である。
【図２】本考案の一実施例を示すマウス分解立体図である。
【図３】一実施例のマウス組立立体図である。
【図４】一実施例のマウス上蓋を嵌合する時の前側側面図である。
【図５】一実施例の上蓋嵌合後、握り手面積が拡大した状態を示す説明図である。
【図６】一実施例の上蓋を外した後、握り手面積が縮小した状態を示す説明図である。
【符号の説明】
【００１３】
Ａ    マウス
１    マウス本体
１０    嵌合槽
１１    嵌合槽
１２    嵌合槽
１３    嵌合槽
１００    回転輪
１０１    左マウスボタン
１０２    右マウスボタン
１４    電池蓋
１５    ライトガイド槽孔
１６    接触点
１７    接触点
１８    接触点
１９    接触点
２    マウス上蓋
２０    嵌合凸
２１    嵌合凸
２２    凸条
２３    凸条
２４    接触点
【図１】
0003119244.tif 000003
【図２】
0003119244.tif 000004
【図３】
0003119244.tif 000005
【図４】
0003119244.tif 000006
【図５】
0003119244.tif 000007
【図６】
0003119244.tif 000008